(57)【要約】【課題】組み込み作業性を向上させると共に、操作杆を好適な回転節度をもって容易に操作することのできる魚釣用リールを提供すること【解決手段】リール本体１２ａに設けたハンドル１６の操作で連動回転するロータ３４の回転状態を、逆転防止状態と正逆転可能状態とに切換える逆転防止機構５０を備え、切換レバー６４を端部に有する操作杆６２の外周に、リール本体１２ａに設けた板バネ６８を圧接して逆転防止機構５０を逆転防止状態と正逆転可能状態とのそれぞれに規制して保持する魚釣用リール１０であって、一方の脚部７０がリール本体に保持される板バネ６８の他方の自由端部７２ｂを、操作杆６２から離隔する側に屈曲させて係合面７２ｃを形成し、この係合面に、操作杆の外周に形成した逆転防止状態と正逆転防止状態との双方の状態に位置決めする位置決め部６６を係合させる魚釣用リール。【選択図】      図１
2006230302.tif 000002
【特許請求の範囲】
【請求項１】
リール本体に設けたハンドルの操作で連動回転する回転体の回転状態を、逆転防止状態と正逆転可能状態とに切換える逆転防止機構を備え、切換操作部を端部に有する操作杆の外周に、リール本体に設けた板状弾性部材を圧接して前記逆転防止機構を前記逆転防止状態と正逆転可能状態とのそれぞれに規制して保持する魚釣用リールであって、
一方の端部がリール本体に保持される前記板状弾性体の他方の自由端部を、前記操作杆から離隔する側に屈曲させて係合面を形成し、この係合面に、前記操作杆の外周に形成した逆転防止状態と正逆転防止状態との双方の状態に位置決めする位置決め部を係合させることを特徴とする魚釣用リール。
【請求項２】
前記板状弾性部材の一方の端部が、リール本体のボディ部とカバーとの間に抜け止め固定されていることを特徴とする請求項１に記載の魚釣用リール。
【発明の詳細な説明】
【技術分野】
【０００１】
本発明は、ハンドルの操作で連動回転する回転体の回転状態を、逆転防止状態と正逆転可能状態とに切換える逆転防止機構を備えた魚釣用リールに関する。
【背景技術】
【０００２】
一般に、ロータ等の回転体の回転状態を、逆転防止状態と正逆転可能状態とに切換える逆転防止機構を備えた魚釣用リールは、ハンドルの回転操作に連動回転してスプールに釣糸を巻回する釣糸案内部を有するロータの回転状態を、逆転防止状態（ＯＮ状態）と正逆転可能状態（ＯＦＦ状態）との双方の状態に交互に切換える切換機構を備えている。このような切換機構は、逆転防止機構に連結され、リール本体に設けた切換レバーの回転操作を通じてＯＮ状態とＯＦＦ状態とに切換操作される。
【０００３】
回転体をこのようなＯＮ状態あるいはＯＦＦ状態に切換えた状態に保持するため、切換レバーの操作杆に、外周面の形状が他の部位と異なる異形部を形成し、リール本体に設けた板ばねをこの異形部の平坦面に圧接させ、この平坦面を弾力的に付勢させることにより、操作杆の回転を規制し、これにより、ロータの回転状態をＯＮ状態あるいはＯＦＦ状態に保持する魚釣用リールが知られている。
【０００４】
このように操作杆の異形部に圧接して操作杆および切換レバーの回転を規制する板バネには、Ｕ字形状を形成する脚部の一方をリール本体の内面にネジで抜け止めしたものがある（例えば特許文献１参照）。また、Ｕ型板バネをその閉端部および開端部の両端部側から筐体と蓋板との間に挟持し、その一対の脚部間に操作杆を弾力的に嵌挿し、この板バネの弾性に抗して操作杆を回転可能としたものもある（例えば特許文献２参照）。
【特許文献１】実開昭５５−６８４６８号公報
【特許文献２】実特昭５５−１５５４７４号公報
【発明の開示】
【発明が解決しようとする課題】
【０００５】
板バネの脚部の一方をリール本体の内面にネジで抜け止めしたものは、他の部材と干渉しない位置で極めて狭いスペースに取付けるため、組み込み作業性が悪く、部品点数が多くなり、コスト高となる。一方、Ｕ型板バネを筐体と蓋板との間に挟持したものは、ネジ止めの必要がなく、部品点数が少なく、簡素化した構造に形成される利点を有するものの、板バネの両端部が拘束されることにより、操作杆を回転操作する際の弾性変形量が少なく、操作杆を円滑にかつ保持位置を明確に感得できる好適な回転節度をもって容易に切換操作することができない、といった改善すべき課題が残されている。
【０００６】
本発明は、このような事情に基づいてなされたもので、組み込み作業性を向上させると共に、操作杆を好適な回転節度をもって容易に操作することのできる魚釣用リールを提供することを目的とする。
【課題を解決するための手段】
【０００７】
上記目的を達成する本発明の魚釣用リールは、リール本体に設けたハンドルの操作で連動回転する回転体の回転状態を、逆転防止状態と正逆転可能状態とに切換える逆転防止機構を備え、切換操作部を端部に有する操作杆の外周に、リール本体に設けた板状弾性部材を圧接して前記逆転防止機構を前記逆転防止状態と正逆転可能状態とのそれぞれに規制して保持する魚釣用リールであって、一方の端部がリール本体に保持される前記板状弾性体の他方の自由端部を、前記操作杆から離隔する側に屈曲させて係合面を形成し、この係合面に、前記操作杆の外周に形成した逆転防止状態と正逆転防止状態との双方の状態に位置決めする位置決め部を係合させることを特徴とする。
【発明の効果】
【０００８】
本発明の魚釣用リールによると、板状弾性体が、操作杆の外周に形成した逆転防止状態と正逆転防止状態との双方の状態に位置決めする位置決め部に係合する係合面を、リール本体内に配置される自由端部に屈曲形成したことにより、簡単な構造でありながら、操作杆を良好な回転節度をもって容易に操作することができ、しかも、操作杆をリール本体に組込む際に、板状弾性体の自由端部に屈曲形成した係合面を介して、この板状弾性体の付勢力が操作杆の位置決め部に作用させることができるため、板状弾性体が不用意に外方に飛び出すのを防止でき、組み込み作業性を向上させることができる。
【発明を実施するための最良の形態】
【０００９】
図１は、本発明の好ましい実施形態による魚釣用リール１０を示す。本実施形態の魚釣用リール１０はスピニングリールとして形成してあり、剛性構造のリール本体１２ａから延出する脚部１２ｂの端部に形成された竿取付部１２ｃを介して釣竿に取り付けられる。リール本体１２ａ内には、スプール１４に釣糸を巻回するための巻取駆動機構と、スプールを前後に往復動させるスプール往復動装置とが設けられている。
【００１０】
巻取駆動機構は、リール本体１２ａの内部空間内に回転可能に支持されてハンドル１６で回転されるハンドル軸１８に固定された駆動歯車２０と、この駆動歯車２０に噛合するピニオンギヤ２２とを備える。このピニオンギヤ２２は、ハンドル軸１８に対して直交する前後方向に延びかつリール本体１２ａに対して前部軸受２４と後部軸受２６とを介して回転自在に支持された筒軸２８の後端側外周部に設けられている。この筒軸２８の先端部には、ベール３０および釣糸案内部３２を備えたロータ３４が回転体として一体的に取り付けられ、ピニオンギヤ２２を介して筒軸２８と共に一体的に回転することができる。なお、本明細書では、ロータ３４の回転方向について、ロータ３４を介してスプール１４に釣糸を巻回する方向の回転を正転と称し、これとは逆に、スプール１４から釣糸を繰出す方向の回転を逆転と称する。
【００１１】
ピニオンギヤ２２が設けられた筒軸２８内を、スプール軸３６が貫通し、ハンドル軸１８と直交する方向に延在している。このスプール軸３６は、筒軸２８と同心的に配されており、筒軸２８およびリール本体１２ａに対してハンドル軸１８と直交する方向に沿って前後動することができる。このスプール軸３６の先端部に、釣糸が巻回されるスプール１４が取り付けられる。
【００１２】
スプール１４を前後方向に往復動するスプール往復動装置を形成するオシレーティング機構３８は、ハンドル軸１８と一体回転する歯車４０に噛合する連動歯車４２を有し、この連動歯車４２に突設され且つ連動歯車４２の回転中心軸から偏心して位置する係合突起４４を、スプール軸３６の後端部に取り付けられた摺動体４６のカム溝４８に係合させ、連動歯車４２が回転したときに、摺動体４６を図示しないガイドレールに沿って前後方向に案内することができる。このようなオシレーティング機構３８は、駆動軸１８がハンドル１６の回転操作によって回転されると、駆動軸１８上の歯車４０と噛み合う連動歯車４２が回転し、それに伴って、連動歯車４２の係合突起４４が回転すると共に、この係合突起４４に係合するカム溝４８の案内によって摺動体４６が前後に往復動する。したがって、摺動体４６に取り付けられたスプール軸３６が筒軸２８内を軸方向に沿って往復駆動（前後動）する。このスプール軸３６の前後方向移動距離であるスプールストロークは、連動歯車の回転中心軸からの係合突起４４の偏心量と、カム溝４８の前後方向距離とで定まる。
【００１３】
このように形成された魚釣用スピニングリール１０は、ハンドル１６を回転操作してハンドル軸１８を回転させると、オシレーティング機構３８の摺動体４６に取付けられたスプール軸３６を介してスプール１４が前後に往復動し、一方、巻取駆動機構の駆動歯車２０とピニオンギア２２と筒軸２８とを介して、回転体としてのロータ３４が回転駆動される。したがって、スプール１４には、釣糸案内部３２で案内されつつ、スプール１４上に釣糸がほぼ均等に巻回される。
【００１４】
更に、リール本体１２ａ内には、ロータ３４の回転状態を、逆転防止状態と正逆転可能状態とに切換える逆転防止機構５０が配置されている。本実施形態の逆転防止機構５０は、公知の一方向クラッチで形成してあり、ピニオンギヤ２２と一体の筒軸２８に回転不能に装着された内輪部材５２ａと、この内輪部材上に複数のローラ５４を介して支えられかつリール本体１２ａに回転不能に装着された外輪部材５２ｂとを備える。これらのローラ５４は、保持器５６で保持され、内輪部材５２ａと外輪部材５２ｂとの間で、自由に回転できるフリー回転領域と、一方向にのみ回転できる規制領域とに移動される。ローラ５４がフリー回転領域に配置されると、ローラ５４が自由に回転できるため、内輪部材５２ａに連結されるロータ３４は外輪部材５２ｂが連結されたリール本体１２ａに対して自由に回転できる。また、ローラ５４が規制領域に配置された状態では、ローラ５４はロータ３４が正転する方向にのみ回転することができ、ロータ３４が逆転する方向への回転は阻止される。したがって、ローラ５４が規制領域に配置された状態では、ロータ３４は逆転防止状態となり、フリー回転領域に配置された状態では、正逆転可能状態となる。
【００１５】
本実施形態では、逆転防止機構５０を形成する一方向クラッチの内輪部材５２ａは、後端側が前部軸受２４で位置決めされ、前端側がロータ３４の内側筒部３４ａを介してナット５８で、筒軸２８上で位置決めされる。このナット５８とスプール軸３６との間には、軸受６０が介挿され、筒軸２８の内周面とスプール軸３６の外周面との間に、僅かな間隙が形成されている。
【００１６】
この逆転防止機構５０のローラ５４を、フリー回転領域と規制領域との間で移動し、ロータ３４の回転状態を正逆転可能状態と逆転防止状態とに切換えるため、操作杆６２がリール本体１２ａの内部空間内に前後方向に沿って延設してある。この操作杆６２は、先端部が、逆転防止機構５０の保持器５６に取付けられた作動部５６ａに連結され、リール本体１２ａの後壁を貫通して外部に突出した後端部に切換操作部である切換レバー６４が取付けられている。
【００１７】
この操作杆６２は、略中間部でクランク状に屈曲した曲軸として形成され、前軸部６２ａが後軸部６２ｂに対して側方に突出する。後端部に取付けた切換レバー６４を操作することで、操作杆６２を後軸部６２ｂの中心軸を中心として前軸部６２ａが回動すると、クランク状に屈曲した前軸部６２ａの先端部が揺動し、作動部５６ａを介して保持器５６が回動される。これにより、逆転防止機構５０は、ロータ３４が正逆転可能な状態と、正転可能でかつ逆転不能の状態とに切換えられる。ロータ３４がいずれの状態にあっても、ハンドル１６を正転方向（釣糸をスプール１４に巻き取る方向の回転）に回転すると、図示しない公知の復帰機構を介して、釣糸放出位置にあるベール３０は、図１に示す釣糸巻取位置に復帰することができる。
【００１８】
この操作杆６２は、リール本体１２ａの内部空間内に位置する後軸部６２ｂの一部に、この操作杆６２の回動位置を保持するために位置決め部６６を形成し、この位置決め部により、一端をリール本体に保持される板状弾性体である板バネ６８の他端側を圧接している。
【００１９】
図２に拡大して示すように、板バネ６８は一対の脚部７０，７２を湾曲部７４で連結した全体的に略Ｕ字状形状を有する。一方の脚部７０は、リール本体１２ａに取付けられたときに、リール本体１２ａの内面で支えられる支持部７０ａと、湾曲部７４から離隔した開端部を、対向する脚部７２から離隔する外方に向けて略直角に屈曲させて形成された短片部７０ｂとを有し、この短片部７０ｂを介して、後述するようにリール本体１２ａに保持される。また、板バネ６８の他方の脚部７２は、湾曲部７４に近接した位置で脚部７０に対して略２５°から３５°の角度αを形成する基部７２ａと、略中央部位から短片部７０ｂ側に僅かに屈曲させて基部７２ａに対して略１０°から２０°の角度βを形成する自由端部７２ｂとを有し、この自由端部７２ｂは、上述の操作杆６２に形成した位置決め部６６に係合する平坦形状の係合面７２ｃをその外面に形成する。支持部７０ａと基部７２ａとの間の角度αは、基部７２ａと自由端部７２ｂとの間の角度βよりも僅かに大きく形成し、リール本体１２ａに装着したときに、自由端部７２ｂは支持部７０ａに対して略垂直方向又は基部７２ａの方向に付勢力を作用させることが好ましい。
【００２０】
図３に詳細に示すように、板バネ６８はリール本体１２ａの内部空間内に配置され、一方の脚部７０の短片部７０ｂをこのリール本体１２ａとこの内部空間を閉じる蓋体１２ｄとで挟持され、支持部７０ａがリール本体１２ａの内壁に当接した状態で支えられる。一方、上述の操作杆６２の後軸部６２ｂに形成された位置決め部６６は、板バネ６８の自由端部７２ｂの外側に形成された平坦な係合面７２ｃに当接してこの係合面７２ｃに圧接される平坦状の２つの圧接面７６ａ，７６ｂを有し、これらの２つの圧接面間には、幅狭すなわち操作杆６２の周方向に沿う寸法が小さい移行面７８が形成されている。この移行面７８は、操作杆６２が回動したときに、板バネ６８の自由端部７２ｂの外面に形成される係合面７２ｃに沿ってこの位置決め部６６を滑らかに回動させることができるものであれば、平坦面に限らず、湾曲面で形成してもよい。
【００２１】
図３の（Ａ）に示すように、切換レバー６４を逆転防止位置に配置したときに、操作杆６２の後軸部６２ｂに形成した位置決め部６６は、圧接面７６ｂが板バネ６８の自由端部に形成される係合面７２ｃに係合し、この係合面７２ｃを介して板バネ６８の自由端部７２ｂに圧接される。これにより、操作杆６２は、板バネ６８の付勢力を平坦な圧接面７６ｂを介して受け、後軸部６２ｂの中心軸を中心とする回動を規制され、操作杆６２をその逆転防止位置に保持される。図１に示すように、この操作杆６２の先端部に連結された作動部５６ａにより、保持器５６で保持されたローラ５４が規制領域に配置され、逆転防止機構５０は逆転防止状態に規制された状態に保持される。
【００２２】
図３の（Ｂ）に示すように、切換レバー６４が図３の（Ａ）に示す逆転防止位置から図３の（Ｃ）に示す正逆転可能状態に切換える中間の位置では、位置決め部６６の移行面７８が板バネ６８の自由端部７２ｂを支持部７０ａ側にほぼ平行に移動し、移行面７８が支持部７０ａに最も近接する。このとき、位置決め部６６には、後軸部６２ｂの中心軸を中心として対称的に板バネ６８の付勢力が作用する。更に、切換レバー６４を回動して、図３の（Ｃ）に示す位置に達すると、圧接面７６ａが自由端部７２ｂの平坦な係合面７２ｃに係合し、操作杆６２は、その正逆転可能位置に保持される。これにより、逆転防止機構５０は、正逆転可能状態に規制された状態に保持される。逆に、図３の（Ｃ）に示す逆転解除位置すなわち正逆転可能位置から、同図の（Ｂ）の中間位置を介して同図の（Ａ）に示す逆転防止位置に移動する場合も同じである。
【００２３】
いずれの方向に向けて切換レバー６４を回動する場合も、板バネ６８の自由端部７２ｂが支持部７０ａに対して略平行に移動するため、位置決め部６６を介して切換レバー６４に等しい大きさの力が作用する。また、切換レバー６４は、移行面７８を介して板バネ６８の自由端部７２ａを平行移動しつつ回転し、逆転防止位置および正逆転可能位置で位置決め部６６の平坦な圧接面７６ａ，７６ｂと、板バネ６８の自由端部７２ｂに形成した平坦な係合面７２ｃとを係合させて保持することにより、操作杆６２を円滑に回動することができると共にその保持位置を明確に感得することができる好適な回転節度をもって、容易に切換操作することができる。
【００２４】
更に、操作杆６２をリール本体１２ａの内部空間である収容部内に組込む際、板バネ６８の自由端部７２ｂの外側に屈曲形成されて、リール本体１２ａの内壁面とほぼ平行に配置された係合面７２ｃを介して、この板バネ６８の付勢力が操作杆６２の位置決め部６６に作用させることができるため、板バネ６８が不用意に外方に飛び出すのを防止でき、組み込み作業性を向上させることができる。しかも、この板バネ６８は、一方の脚部７０の支持部７０ａをリール本体１２ａの内壁面に当接させて支持すると共に、その先端の短片部７０ｂをリール本体１２ａとこの収容部を閉じる蓋体１２ｄとの間に挟持するだけで、この板バネ６８がリール本体に取付けられるため、止めネジ等の従来用いられていた別個の取付具を必要とせず、板バネ６８の取付に必要な工程は、蓋体１２ｄをリール本体１２ａに取付けるだけの極めて簡単な作業工程でありながらも確実に支持させることができる。
【図面の簡単な説明】
【００２５】
【図１】本発明の好ましい実施形態による魚釣用リールの一部を断面とした側面図。
【図２】図１に示す魚釣用リールに取付ける板バネの拡大図。
【図３】切換レバーを種々の位置に配置した状態の図１のＩＩＩ−ＩＩＩ線に沿う断面図。
【符号の説明】
【００２６】
１０…魚釣用スピニングリール、１２ａ…リール本体、１４…スプール、１６…ハンドル、３４…ロータ、５０…逆転防止機構、６２…操作杆、６４…切換レバー、６６…位置決め部、６８…板バネ、７０，７２…脚部、７２ｂ…自由端部。
【図１】
2006230302.tif 000003
【図２】
2006230302.tif 000004
【図３】
2006230302.tif 000005